(57)【特許請求の範囲】
【請求項１】
地表に立設された支柱の上端に取付具を介して水平ビームが左右方向にそれぞれ取着された防護柵に於いて、取付具は、支柱の上端に取付けられたキャップ部とこのキャップ部の上部に枢着された載置部とから構成され、載置部は、幅に対して左右方向が長くなされ、その左右両端部に透孔が穿設されてボルト孔となされると共に、載置部上面に水平ビーム外形と同形の稜線が幅方向に形成され、且つ前記ボルト孔はその中心が前記稜線上に位置するようにして穿設され、この稜線から載置部の左右方向中央と左右の縁部とに向かって凹部が広がるように載置部の左右方向中央と左右の縁部とに至る勾配がそれぞれ形成され、この載置部の稜線上に左右の水平ビームのそれぞれの端部が載置取着されたことを特徴とする防護柵。
【請求項２】
水平ビームが断面円形の管体からなり、載置部上面の稜線が半円形状に形成され、この稜線から載置部の左右方向中央と左右の縁部とに向かって凹部が広がるように載置部の左右方向中央と左右の縁部とに至る勾配がそれぞれ形成されたことを特徴とする請求項１記載の防護柵。
【請求項３】
棒状体の左右両端部に雌螺子部が設けられた接続部材の前記左右両端部が、隣合う水平ビームの端部にそれぞれ挿入され、載置部のボルト孔を通してボルトが接続部材の雌螺子部に螺着されたことを特徴とする請求項１または２記載の防護柵。
【発明の詳細な説明】
【０００１】
【発明の属する技術分野】
本発明は、歩道と車道の境界などに設置される横断防止柵や、転落防止柵、境界フェンスなどの防護柵に関する。
【０００２】
【従来の技術】
従来、支柱の上端に水平ビームが架設されてなる防護柵に於いては、水平ビームの内径と略同径の外径となされた接続部材の一端を水平ビームの端部に挿入し、この接続部材の他端を次の水平ビームの端部に挿入し、水平ビームの接続部を支柱上端に設けられた取付具上に載置し、取付具に設けられたボルト孔を通して、接続部材の両端に設けられた雌螺子部にボルトが挿入され、水平ビームが支柱上端の取付具に取付けられていた。この取付具の水平ビームとの当接面は一般に水平ビームの外形と同形となされ、直線状に防護柵が設置されるとき水平ビームと取付具の収まりがよいようになされている。
【０００３】
【発明が解決しようとする課題】
しかしながら上記の如き防護柵に於いては、防護柵を平面視非直線状に設置するときや、勾配のある土地に防護柵を設置するようなときの水平ビームと取付具の収まりが悪く、特殊な取付具を使用する必要があった。
【０００４】
そこで本発明者は従来の欠点に鑑み鋭意研究の結果、施工が容易で、隣合う水平ビーム同士を平面視非直線状に、又、勾配を付けて設置できる防護柵を提供する。
【０００５】
【課題を解決するための手段】
本発明請求項１記載の防護柵は、地表に立設された支柱の上端に取付具を介して水平ビームが左右方向にそれぞれ取着された防護柵に於いて、取付具は、支柱の上端に取付けられたキャップ部とこのキャップ部の上部に枢着された載置部とから構成され、載置部は、幅に対して左右方向が長くなされ、その左右両端部に透孔が穿設されてボルト孔となされると共に、載置部上面に水平ビーム外形と同形の稜線が幅方向に形成され、且つ前記ボルト孔はその中心が前記稜線上に位置するようにして穿設され、この稜線から載置部の左右方向中央と左右の縁部とに向かって凹部が広がるように載置部の左右方向中央と左右の縁部とに至る勾配がそれぞれ形成され、この載置部の稜線上に左右の水平ビームのそれぞれの端部が載置取着されたもので、水平ビームと取付具が水平方向垂直方向ともに角度を変えて取着できるので、隣合う水平ビーム同士を角度を付けて接続することができ、平面視非直線状に、又、勾配を付けて防護柵を設置することが容易にできる。
【０００６】
又、本発明請求項２記載の防護柵は、水平ビームが断面円形の管体からなり、載置部上面の稜線が半円形状に形成され、この稜線から載置部の左右方向中央と左右の縁部とに向かって凹部が広がるように載置部の左右方向中央と左右の縁部とに至る勾配がそれぞれ形成されたもので、水平ビームが垂直及び水平に角度を付けて取付け具に取着されるときも収まりが良く、どの様な設置場所にも特殊な取付具を使うことなく容易に設置することができる。
【０００７】
又、本発明請求項３記載の防護柵は、棒状体の左右両端部に雌螺子部が設けられた接続部材の前記左右両端部が、隣合う水平ビームの端部にそれぞれ挿入され、載置部のボルト孔を通してボルトが接続部材の雌螺子部に螺着されたもので、隣合う水平ビームの端部が互いに強固に接続されるとともに、角度を付けて接続することができる。本発明にいう棒状体とは、隣合う水平ビームの端部同士を互いに接続できる長さがあれば良いのであって、適宜長さの板状体などであってもよい。
【０００８】
【発明の実施の形態】
以下、図面を参照しながら本発明に付いて説明する。適宜間隔で地表に立設された支柱３間に亘って水平ビーム１が取着され、防護柵となされている。支柱３は上端に取付具２が設けられこの取付具２上に上部水平ビーム１が取着され、側壁に下部水平ビーム１が取着されている。支柱３上部に設けられた取付具２は支柱３上端に取着されたキャップ部２１とこのキャップ部２１の上部に取着された載置部２２からなり、この載置部２２上に上部水平ビーム１が載置取着される。支柱３は鋼管などの中空の金属体から作製され、塗装やメッキなど適宜表面処理が施されている。
【０００９】
上部の水平ビーム１は支柱３上端に設けられた取付具２上に取着されている。水平ビーム１は鋼管が適宜長さに切断され、両端にボルト孔が穿設されて作製されている。上部水平ビーム１の内部には接続部材４が取着され、載置部２２に穿設されたボルト孔を通して、ボルトが接続部材４の雌螺子部に螺入され、水平ビーム１が支柱３上端の取付具２に取付けられる。水平ビーム１は鋼管などの管体に限るものではなく、アルミ合金製などの型材が用いられてもよいが、断面全周に亘って壁面を有する管体、とくに断面円形の丸型管が好適に用いられる。
【００１０】
接続部材４は鋼板がコ字型に折曲されて棒状体となされ、この棒状体の左右両端部に透孔が穿設され、この透孔の中心に中心軸を合わせて、ナットが溶接されて雌螺子部となされて作製されている。接続部材４の中央には内径が水平ビーム１の外径より大径となされたカバーが取着されている。このカバーは内径が水平ビーム１の外径より大径の円筒状体の下部が切り欠かれた形状で、下部が接続部材４の中央に取着されている。接続部材４はメッキなど適宜表面処理が施されても良いし、鋼板にかえてステンレス鋼板などの不銹性の金属板で作製されてもよい。カバーは合成樹脂を成形して作製されてもよいし、アルミ合金や亜鉛などの金属を鋳造して作製されても良い。接続部材４を構成する棒状体はコ字型と前記したが、これに限るものではなく断面円形など適宜形状に折曲されたものが用いられればよいし、矩形の板の両端に雌螺子部が設けられたものが用いられてもよい。
【００１１】
取付具２は、支柱３の上端に取付けられたキャップ部２１とこのキャップ部２１の上部に枢着された載置部２２から構成されている。キャップ部２１は支柱３内径に適合した外径を有する円筒部とこの円筒部の一端が閉塞された蓋体と、この蓋体が外方に延設された鍔状部と、この蓋体上に上部が半円形に切り欠かれた板状体が形成された受け部とからなり、この受け部の中央に枢孔が穿設されている。載置部２２は、幅に対して左右方向が長くなされ、水平ビーム１の外形に適合した樋状となされ、その左右両端部に透孔が穿設されてボルト孔となされ、載置部上面に水平ビーム外形と同形の稜線２３が幅方向に形成され、且つ前記ボルト孔はその中心が前記稜線２３上に位置するようにして穿設され、この稜線２３から載置部２２の左右方向中央と左右の縁部とに向かって凹部が広がるように載置部２２の左右方向中央と左右の縁部とに至る勾配がそれぞれ形成されている。断面円形の水平ビーム１が用いられるときは、断面半円形状の稜線２３が形成され、この稜線２３から載置部２２の左右方向中央と左右の縁部とに向かって凹部が広がるように載置部の左右方向中央と左右の縁部とに至る勾配がそれぞれ形成されているので水平ビーム１を上下方向及び／又は水平方向に角度を付けて取着することができる。取付具は亜鉛合金やアルミ合金を鋳造して作製されるのが好ましいが、合成樹脂などを成形して作製されてもよい。
【００１２】
【発明の効果】
上述の如く、本発明請求項１記載の防護柵は、地表に立設された支柱の上端に取付具を介して水平ビームが左右方向にそれぞれ取着された防護柵に於いて、取付具は、支柱の上端に取付けられたキャップ部とこのキャップ部の上部に枢着された載置部とから構成され、載置部は、幅に対して左右方向が長くなされ、その左右両端部に透孔が穿設されてボルト孔となされると共に、載置部上面に水平ビーム外形と同形の稜線が幅方向に形成され、且つ前記ボルト孔はその中心が前記稜線上に位置するようにして穿設され、この稜線から載置部の左右方向中央と左右の縁部とに向かって凹部が広がるように載置部の左右方向中央と左右の縁部とに至る勾配がそれぞれ形成され、この載置部の稜線上に左右の水平ビームのそれぞれの端部が載置取着されたもので、水平ビームと取付具が水平方向垂直方向ともに角度を変えて取着できるので、隣合う水平ビーム同士を角度を付けて接続することができ、平面視非直線状に、又、勾配を付けて防護柵を設置することが容易にできる。
【００１３】
又、本発明請求項２記載の防護柵は、水平ビームが断面円形の管体からなり、載置部上面の稜線が半円形状に形成され、この稜線から載置部の左右方向中央と左右の縁部とに向かって凹部が広がるように載置部の左右方向中央と左右の縁部とに至る勾配がそれぞれ形成されたもので、水平ビームが垂直及び水平に角度を付けて取付け具に取着されるときも収まりが良く、どの様な設置場所にも特殊な取付具を使うことなく容易に設置することができる。
【００１４】
又、本発明請求項３記載の防護柵は、棒状体の左右両端部に雌螺子部が設けられた接続部材の前記左右両端部が、隣合う水平ビームの端部にそれぞれ挿入され、載置部のボルト孔を通してボルトが接続部材の雌螺子部に螺着されたもので、隣合う水平ビームの端部が互いに強固に接続されるとともに、角度を付けて接続することができる。本発明にいう棒状体とは、隣合う水平ビームの端部同士を互いに接続できる長さがあれば良いのであって、適宜長さの板状体などであってもよい。
【図面の簡単な説明】
【図１】  本発明防護柵の支柱上部を示す斜視図である。
【図２】  本発明防護柵の取付具の一例を示す平面図である。
【図３】  本発明防護柵の水平ビームの取付状態を示す断面図である。
【符号の説明】
１    水平ビーム
２    取付具
２１  キャップ部
２２  載置部
２３  稜線
３    支柱
４    接続部材
【図１】
0003675614.tif 000002
【図２】
0003675614.tif 000003
【図３】
0003675614.tif 000004